(57)【要約】      （修正有） 【課題】空気中の二酸化炭素濃度を計測すると共に、二酸化炭素濃度を計測したその地点で二酸化炭素濃度を表示することによって、空気中の二酸化炭素濃度に対する一般人の関心を高めることができる二酸化炭素計測装置を提供する。【課題手段】空気中の二酸化炭素の濃度を計測するセンサと、このセンサで計測された二酸化炭素の濃度を表示する表示部とから構成され、センサと表示部は同一の観測地点に設置されたことを特徴とするものである。【選択図】図１
0003150526.tif 000002
【実用新案登録請求の範囲】
【請求項１】
空気中の二酸化炭素の濃度を計測するセンサと、このセンサで計測された二酸化炭素の濃度を表示する表示部とから構成され、センサと表示部は同一の観測地点に設置されたことを特徴とする二酸化炭素濃度計測表示装置。
【請求項２】
前記観測地点は、道路、又は公共施設であることを特徴する請求項１に記載の二酸化炭素濃度計測表示装置。
【請求項３】
前記表示部は三角柱で構成されたことを特徴とする請求項１又は請求項２に記載の二酸化炭素濃度計測表示装置。
【考案の詳細な説明】
【技術分野】
【０００１】
本考案は、道路や公共施設に設置され、その設置場所における空気中の二酸化炭素濃度を計測して表示する二酸化炭素計測表示装置に関するものである。
【背景技術】
【０００２】
近年、地球温暖化に対する対策として、二酸化炭素を削減する方策が検討されている。しかし、一般には、二酸化炭素を削減する意識が十分には浸透していない。このため、空気中の二酸化炭素濃度に対する一般人の関心を高めるようにする対策が従来から望まれていた。
【０００３】
二酸化炭素を計測する装置として、特許文献１が提案されている。しかし、この特許文献１に記載の発明は、空気中の二酸化炭素濃度に対する一般人の関心を高めるように工夫された発明ではない。
【先行技術文献】
【特許文献】
【０００４】
【特許文献１】特開２００９−８５１０号公報
【０００５】
本考案は、前記背景技術の問題点に鑑みてなされたもので、その目的は、空気中の二酸化炭素濃度を計測すると共に、二酸化炭素濃度を計測したその地点で二酸化炭素濃度を表示することによって、空気中の二酸化炭素濃度に対する一般人の関心を高めることができる二酸化炭素計測装置を提供することにある。
【考案の概要】
【課題を解決するための手段】
【０００６】
請求項１に記載の発明は、空気中の二酸化炭素の濃度を計測するセンサと、このセンサで計測された二酸化炭素の濃度を表示する表示部とから構成され、センサと表示部は同一の観測地点に設置されたことを特徴とするものである。
【０００７】
請求項２に記載の発明は、請求項１に記載の発明において、前記観測地点は、道路、又は公共施設であることを特徴するものである。
【０００８】
請求項３に記載の発明は、請求項１又は請求項２に記載の発明において、前記表示部は三角柱で構成されたことを特徴とするものである。
【考案の効果】
【０００９】
請求項１に記載の発明によれば、二酸化炭素濃度を計測するためのセンサが設置されている観測地点の二酸化炭素濃度は、その観測地点に設置された表示部に表示されるために、その観測地点の二酸化炭素濃度をその観測地点で知ることができる。
【００１０】
請求項２に記載の発明によれば、道路の二酸化炭素濃度を知ることができ、又、公共施設に訪れた一般人がその場所における二酸化炭素濃度を知ることができる。
【００１１】
請求項３に記載の発明によれば、表示部が三角柱で形成されているために、表示部に表示された二酸化炭素濃度の計測値を複数の方向から観ることができる。
【図面の簡単な説明】
【００１２】
【図１】二酸化炭素計測装置の斜視図である。（第１実施形態）
【図２】図１の平面図である。（第１実施形態）
【図３】図１の正面図である。（第１実施形態）
【図４】二酸化炭素計測装置の斜視図である。（第２実施形態）
【図５】二酸化炭素計測装置の正面図である。（第３実施形態）
【図６】二酸化炭素計測装置の正面図である。（第４実施形態）
【図７】二酸化炭素計測装置の正面図である。（第５実施形態）
【図８】二酸化炭素計測装置の正面図である。（第６実施形態）
【考案を実施するための形態】
【００１３】
図１乃至図３は第１実施形態を示す。この第１実施形態の二酸化炭素計測表示装置１は、二酸化炭素濃度を計測するためのセンサー２と、計測された二酸化炭素濃度を表示するための表示装置３とを備えている。
【００１４】
前記表示装置３は、三角柱で構成されている。この表示装置３の裏面には前記センサ２が取り付けられ、又、二つの側面には、それぞれ表示部４が設けられている。前記表示部４には、二酸化炭素濃度の単位をｐｐｍで表示できるように構成されている。又、表示部４には、二酸化炭素濃度をデジタル表示できるように三つの枠５，６，７が設けられている。尚、この表示部４は、二酸化炭素濃度を例えば、棒グラフのようにアナログ表示できるようにすることも可能である。又、二酸化炭素濃度の毎日の変化を折れ線グラフで表示できるようにすることも可能である。又、前記センサ２は前記表示装置３内に収容し且つ外気を接触できるように設けることも可能である。
【００１５】
又、この表示装置３の内部には、前記センサ２で計測された二酸化炭素濃度を前記表示部４に表示できるように、前記センサ２、及び表示部４を制御できるように、例えば、マイコン等が設けられている。
【００１６】
前記表示装置３は、例えば、交通量の多い道路の脇や、公共施設等に設置して、その場所における空気中の二酸化炭素濃度を計測して表示することができるように構成されている。
【００１７】
又、前記表示装置３には、この表示装置３の内部へ雨水が浸入することを防止するための雨避けを設けることもできる。
【００１８】
次に、作用について説明する。センサ２で計測された空気中の二酸化炭素濃度は、表示部４に表示される。図１に示すように、表示装置３が三角柱で構成されているために、表示部４に表示された二酸化炭素濃度は図３に示すように、表示装置３の正面から観ることができる上に、図１中、矢印Ａ，Ｂで示すように、二つの方向からも観ることができて、一般人が二酸化炭素濃度を目視し易くすることができる。このように、二酸化炭素計測表示装置１を一般人が利用する施設に設けることによって、一般人が二酸化炭素濃度の計測値を日常的に目視することができて、一般人の二酸化炭素濃度に対する関心を高めることができる。
【００１９】
図４は第２実施形態を示す。この第２実施形態の特徴は、表示装置３を直方体で形成し、４つの側面のうちの１つの側面にセンサ２を設け、他の３つの側面に表示部４を設けた点にある。尚、複数の側面を有する多面体で表示装置を形成した場合には、複数の側から二酸化炭素濃度の計測値を観ることができて、空気中の二酸化炭素濃度に対する一般人の関心を高めることができる。
【００２０】
図５は第３実施形態を示す。この第３実施形態は、表示装置３が一般人用に形成されている。この第３実施形態の特徴は、電柱１０にセンサ２を設け、又、電柱１０に表示部１１を設けた点にある。これらセンサ２、及び表示部１１は一般人の手が届かない高さに設けられることで、一般人のいたずらによる故障の被害を防止することができる。この第３実施形態においては、一般人が通行中にその場所における空気中の二酸化炭素濃度の計測値を目視することができる。
【００２１】
図６は第４実施形態を示す。この第４実施形態は、表示装置３が道路を通行する車両用に形成されている。この第４実施形態の特徴は、道路の両脇にポールＰを立て、このポールＰに橋渡すようにゲートＧを設け、ポールＰにセンサ２を設け、ゲートＧに表示部１１を設けた点にある。この第４実施形態においては、車両運転中に表示部１１を観ることで、その場所における空気中の二酸化炭素濃度の計測値を目視することができる。
【００２２】
図７は第５実施形態を示す。この第５実施形態の特徴は、一本のポールＰにセンサ２と表示装置３を設け、又、このポールＰの上端にソーラーパネルＳを設けることによって、太陽光発電で得た電力で前記センサ２及び表示装置３を駆動できるようにした点にある。
【００２３】
図８は第６実施形態を示す。この第６実施形態の特徴は、二本のポールＰ、Ｐの上端に表示装置３を設け、一方のポールＰの途中にセンサ２を設けた点にある。
【００２４】
尚、本発明は、以上の実施形態に限定されることなく、特許請求の範囲の技術的範囲内で実施の形態を変更できるものである。
【産業上の利用可能性】
【００２５】
本発明は、二酸化炭素計測表示装置を製造、使用等する分野において利用することができる。
【符号の説明】
【００２６】
１  二酸化炭素計測装置
２  センサ
３  表示装置
４  表示部
５  側面
６  側面
７  側面
１０  電柱
１１  表示部
Ｐ  ポール
Ｇ  ゲート
Ｓ  ソーラーパネル
【図１】
0003150526.tif 000003
【図２】
0003150526.tif 000004
【図３】
0003150526.tif 000005
【図４】
0003150526.tif 000006
【図５】
0003150526.tif 000007
【図６】
0003150526.tif 000008
【図７】
0003150526.tif 000009
【図８】
0003150526.tif 000010